(57)【要約】【課題】操作性を向上させる。【解決手段】ディスプレイ１１の表示画面にデータ放送の画像が表示され、マウス１２を移動させた場合、演算処理部１４は、マウス１２から、マウス１２の移動量を示すカウント値を取得する。演算処理部１４は、データ放送の画像表示領域を、その４辺に応じて４つに区分けし、マウス１２から取得したカウント値に基づいてマウス１２の移動先の位置が区分けした領域のいずれの領域に属するかを判別する。そして演算処理部１４は、判別結果に基づいて、バーチャルリモコンがデータ放送の画像表示領域の４辺のうちのいずれかと隣接して表示されるようにコンピュータ本体１３の各部を制御する。【選択図】　図１
2004094392.tif 000002
【特許請求の範囲】
【請求項１】
データ放送を受信する機能を備えたコンピュータにおいて、
前記受信したデータ放送の画像を表示画面に表示するデータ放送画像表示手段と、
前記表示画面に表示されたカーソルの位置を取得するカーソル位置取得手段と、
前記データ放送画像表示手段が表示したデータ放送の画像表示領域を囲む辺のうち、前記カーソル位置取得手段が取得したカーソルの位置と対応付けられている辺近傍に、操作情報を入力するためのコントロール画像を表示するコントロール画像表示手段と、を備えた、
ことを特徴とするコンピュータ。
【請求項２】
前記コントロール画像表示手段は、
前記データ放送の画像表示領域を当該画像表示領域を囲む各辺に対応するように区分し、区分した領域のうちの前記カーソル位置取得手段が取得したカーソルの位置が属している領域を識別することにより、前記カーソルの位置と対応付けられている辺を判別し、判別した辺近傍に前記コントロール画像を表示するように構成されたものである、
ことを特徴とする請求項１に記載のコンピュータ。
【請求項３】
データ放送を受信する機能を備えたコンピュータにおいて、
前記受信したデータ放送の画像を表示画面に表示するデータ放送画像表示手段と、
前記表示画面に表示されたカーソルの移動方向を取得するカーソル移動方向取得手段と、
前記データ放送画像表示手段が表示したデータ放送の画像表示領域を囲む辺のうち、前記カーソル移動方向取得手段が取得したカーソルの移動方向と対応付けられている辺近傍に、操作情報を入力するためのコントロール画像を表示するコントロール画像表示手段と、を備えた、
ことを特徴とするコンピュータ。
【請求項４】
データ放送を受信するステップと、
前記受信したデータ放送の画像を表示画面に表示するステップと、
前記表示画面に表示されたカーソルの位置を取得するステップと、
前記表示されたデータ放送画像の表示領域を囲む辺のうち、前記取得したカーソルの位置と対応付けられている辺近傍に、操作情報を入力するためのコントロール画像を表示するステップと、を備えた、
ことを特徴とする画像表示方法。
【請求項５】
コンピュータに、
データ放送を受信する手順、
前記受信したデータ放送の画像を表示画面に表示する手順、
前記表示画面に表示されたカーソルの位置を取得する手順、
前記表示されたデータ放送画像の表示領域を囲む辺のうち、前記取得したカーソルの位置と対応付けられている辺近傍に、操作情報を入力するためのコントロール画像を表示する手順、
を実行させるためのプログラム。
【発明の詳細な説明】
【０００１】
【発明の属する技術分野】
本発明は、コンピュータ、画像表示方法及びプログラムに関する。
【０００２】
【従来の技術】
コンピュータには、デジタル放送のデータ放送を受信し、受信したコンテンツ（放送内容）をディスプレイ装置の表示画面に表示するようなデジタルＰＣ受信機能を備えたものがある。
【０００３】
また、双方向性のデータ放送では、ＴＶ受像機の操作用として付属されてリモートコントロール装置（以後、「リモコン」と記す。）を用いて数値を入力することもできる。さらに、コンピュータには、操作を容易にするため、このリモコンをバーチャルリモコンとして画像化して、ディスプレイ装置の表示画面に表示させるようにしたものもある。
【０００４】
この表示例を図７に示す。この図７に示すように、コンピュータがデータ放送を受信すると、ディスプレイ装置５１は、表示画面５２にデータ放送の画像５３とバーチャルリモコン５４とを表示する。
【０００５】
図７に示す例では、天気予報のボタン５３ａ等、各種ボタンもデータ放送の画像５３内に表示される。コンピュータのオペレータがマウスを用いて、表示された天気予報のボタン５３ａを選択し、バーチャルリモコン５４を操作して郵便番号を入力することにより、ディスプレイ装置５１は、入力された郵便番号に対応する地域の天気予報の情報を表示画面５２に表示する。このように、コンテンツの操作、数値の入力には、いずれもコンピュータに通常、備えられているマウスが用いられる。
【０００６】
【発明が解決しようとする課題】
しかし、図７に示すように、表示画面上でデータ放送の画像内のボタン５３ａ等とバーチャルリモコン５４との位置が離れていると、目線の移動量が大きくなり、疲れ易くなる。また、マウスの移動量も大きくなり、操作もしにくいといった問題点がある。
【０００７】
本発明は、このような従来の問題点に鑑みてなされたもので、操作性の向上を可能とするコンピュータ、画像表示方法及びプログラムを提供することを目的とする。
【０００８】
【課題を解決するための手段】
この目的を達成するため、本発明の第１の観点に係るコンピュータは、
データ放送を受信する機能を備えたコンピュータにおいて、
前記受信したデータ放送の画像を表示画面に表示するデータ放送画像表示手段と、
前記表示画面に表示されたカーソルの位置を取得するカーソル位置取得手段と、
前記データ放送画像表示手段が表示したデータ放送の画像表示領域を囲む辺のうち、前記カーソル位置取得手段が取得したカーソルの位置と対応付けられている辺近傍に、操作情報を入力するためのコントロール画像を表示するコントロール画像表示手段と、を備えたものである。
【０００９】
前記コントロール画像表示手段は、
前記データ放送の画像表示領域を当該画像表示領域を囲む各辺に対応するように区分し、区分した領域のうちの前記カーソル位置取得手段が取得したカーソルの位置が属している領域を識別することにより、前記カーソルの位置と対応付けられている辺を判別し、判別した辺近傍に前記コントロール画像を表示するように構成されたものであってもよい。
【００１０】
前記コンピュータは、
データ放送を受信する機能を備えたコンピュータにおいて、
前記受信したデータ放送の画像を表示画面に表示するデータ放送画像表示手段と、
前記表示画面に表示されたカーソルの移動方向を取得するカーソル移動方向取得手段と、
前記データ放送画像表示手段が表示したデータ放送の画像表示領域を囲む辺のうち、前記カーソル移動方向取得手段が取得したカーソルの移動方向と対応付けられている辺近傍に、操作情報を入力するためのコントロール画像を表示するコントロール画像表示手段と、を備えたものであってもよい。
【００１１】
本発明の第２の観点に係る画像表示方法は、
データ放送を受信するステップと、
前記受信したデータ放送の画像を表示画面に表示するステップと、
前記表示画面に表示されたカーソルの位置を取得するステップと、
前記表示されたデータ放送画像の表示領域を囲む辺のうち、前記取得したカーソルの位置と対応付けられている辺近傍に、操作情報を入力するためのコントロール画像を表示するステップと、を備えたものである。
【００１２】
本発明の第３の観点に係るプログラムは、
コンピュータに、
データ放送を受信する手順、
前記受信したデータ放送の画像を表示画面に表示する手順、
前記表示画面に表示されたカーソルの位置を取得する手順、
前記表示されたデータ放送画像の表示領域を囲む辺のうち、前記取得したカーソルの位置と対応付けられている辺近傍に、操作情報を入力するためのコントロール画像を表示する手順、
を実行させるためのものである。
【００１３】
【発明の実施の形態】
以下、本発明の実施の形態に係る表示装置を図面を参照して説明する。
本発明の実施の形態に係るコンピュータの構成を図１に示す。
本実施の形態に係るコンピュータは、ディスプレイ装置（以後、「ディスプレイ」と記す。）１１と、マウス１２と、コンピュータ本体１３と、を備えている。このコンピュータは、デジタル放送のデータ放送を受信して、受信したデータ放送の画像を表示する機能を備えたものである。
【００１４】
ディスプレイ１１は、画像を表示するための表示画面２１を備えた表示装置であり、この表示画面２１にデータ放送の画像等を表示する。ディスプレイ１１には、ＣＲＴ、液晶ディスプレイ装置、プラズマディスプレイ装置等が用いられる。
【００１５】
ディスプレイ１１は、表示画面２１に、マウスカーソル２２、バーチャルリモートコントローラ（以後、「バーチャルリモコン」と記す。）を表示する。このバーチャルリモコンは、データ放送のコンテンツ（放送内容）を切り換えたり、コンテンツに応じて必要なデータを入力したりするために用いられる操作用のリモコン画像である。また、ディスプレイ１１は、この他にツールバー、アイコン等も表示画面２１に表示する。
【００１６】
マウス１２は、ディスプレイ１１の表示画面２１に表示されたマウスカーソル２２を移動させるための装置である。このため、マウス１２は、直角方向の２つの軸をＸ軸、Ｙ軸として、それぞれ、Ｘ軸、Ｙ軸用のパルスジェネレータ（図示せず）と、Ｘ軸、Ｙ軸用のカウンタ（図示せず）と、を備える。
【００１７】
パルスジェネレータは、マウス１２の移動量に応じた数のパルスを発生するものであり、カウンタは、パルスジェネレータから出力されたパルスの数をカウントして、マウス１２の移動量に応じたカウント値を生成するものである。そして、マウス１２は、生成したカウント値をコンピュータ本体１３に出力する。
【００１８】
また、マウス１２は、表示画面２１に表示されたアイコンを操作したり、バーチャルリモコンのボタンを操作したりするためにも用いられる。マウス１２は、アイコン、バーチャルリモコンのボタン操作用のクリックボタン１２ａ、１２ｂを備えている。
【００１９】
コンピュータ本体１３は、コンピュータ全体を制御するものであり、演算処理部１４と、記憶部１５と、デジタル放送受信部１６と、画像データ出力部１７と、を備えている。
【００２０】
演算処理部１４は、ＣＰＵ（Ｃｅｎｔｒａｌ　Ｐｒｏｃｅｓｓｉｎｇ　Ｕｎｉｔ）、ＲＯＭ（Ｒｅａｄ　ＯｎｌｙＭｅｍｏｒｙ　）、ＲＡＭ（Ｒａｎｄｏｍ　Ａｃｃｅｓｓ　Ｍｅｍｏｒｙ　）等を備え、コンピュータ内の各部を制御して、各種ソフトウェアを実行する。
【００２１】
記憶部１５は、ディスプレイ１１の表示画面２１に表示させる画像データ等を記憶するためのものである。記憶する画像データとしては、マウスカーソル２２、バーチャルリモコン、アイコン等の画像データがある。このバーチャルリモコンの画像データの一例を図２に示す。
【００２２】
バーチャルリモコンの画像データには、図２（ａ）に示す縦型のバーチャルリモコンの画像データ２３ａと、図２（ｂ）に示す横型のバーチャルリモコンの画像データ２３ｂとがある。画像データ２３ａは、表示画面２１に表示されたデータ放送画像の表示領域の左辺又は右辺に表示させるためのものである。画像データ２３ｂは、データ放送画像の表示領域の上辺又は下辺に表示させるためのものである。
【００２３】
バーチャルリモコンの画像データ２３ａ、画像データ２３ｂのいずれにも、マウス１２のクリックボタン１２ａ、１２ｂをクリックすることによって選択可能な文字、矢印キー、数値が含まれている。尚、画像データ２３ａの右上隅、左上隅の点を、それぞれ、Ｖ１，Ｖ２とする。また、画像データ２３ｂの左上隅、左下隅の点を、それぞれ、Ｖ３，Ｖ４とする。
【００２４】
図１に戻り、デジタル放送受信部１６は、デジタル放送のデータ放送を受信するものである。
尚、データ放送は、デジタル信号からなる映像信号と音声信号とを送信するためのチャネルに加え、データの伝送に利用できるデータチャネルを有し、このデータチャネルを用いてデジタルデータを送信するようにした放送方式である。このデータ放送によれば、例えば、テレビ番組に各種情報を付加したり、テレビ番組とは別の独立サービスを行ったりすることができる。また、データ放送と電話回線等を利用して、双方向性を実現し、データ放送のコンテンツ（放送内容）を選択することもできる。
【００２５】
画像データ出力部１７は、ディスプレイ１１の表示画面２１に表示される画像データをディスプレイ１１に出力するものであり、画像データを記憶するためのフレームメモリ１７ａを備える。画像データ出力部１７は、フレームメモリ１７ａに画像データが書き込まれると、書き込まれた画像データをディスプレイ１１に出力する。
【００２６】
次に本実施の形態に係るコンピュータの動作を説明する。
コンピュータがオンすると、演算処理部１４は、マウスカーソル２２、アイコンを、記憶部１５から読み出して、画像データ出力部１７のフレームメモリ１７ａに書き込む。画像データ出力部１７は、フレームメモリ１７ａにこれらのデータが書き込まれると、書き込まれた画像データをディスプレイ１１に出力する。ディスプレイ１１は、画像データ出力部１７が出力したこれらの画像データを表示画面２１に表示する。
【００２７】
マウスカーソル２２の初期位置は、例えば、表示画面２１の中心点に設定される。コンピュータのオペレータ（操作者）がマウス１２を移動させると、マウス１２内のＸ軸、Ｙ軸用の各パルスジェネレータは、それぞれ、マウス１２の移動量に応じた数のパルスを生成する。
【００２８】
Ｘ軸、Ｙ軸用のカウンタは、それぞれ、Ｘ軸、Ｙ軸用のパルスジェネレータが生成したパルスの数をカウントする。マウス１２は、Ｘ軸、Ｙ軸用のカウンタがカウントしたカウント値をコンピュータ本体１３に出力する。
【００２９】
コンピュータ本体１３の演算処理部１４は、マウス１２から、移動量に応じたＸ軸、Ｙ軸方向のカウント値を取得する。
【００３０】
演算処理部１４は、Ｘ軸、Ｙ軸方向のカウント値を取得すると、そのカウント値に応じた位置にマウスカーソル２２が表示されるように位置を指定して、フレームメモリ１７ａにマウスカーソル２２の画像データを書き込む。画像データ出力部１７は、フレームメモリ１７ａに書き込まれたこの画像データをディスプレイ１１に出力する。ディスプレイ１１は、マウスカーソル２２を表示画面２１に表示する。
【００３１】
デジタル放送受信部１６がデータ放送を受信すると、演算処理部１４は、フレームメモリ１７ａをクリアして、受信したデータ放送の画像データをフレームメモリ１７ａに書き込む。
【００３２】
画像データ出力部１７は、フレームメモリ１７ａに書き込まれたデータ放送の画像データをディスプレイ１１に出力する。
【００３３】
演算処理部１４は、目線の移動量を少なくし、また、マウスカーソル２２を操作する際のマウス１２の移動量を少なくするため、バーチャルリモコン２３がデータ放送画像の表示領域の左辺、右辺、上辺、下辺のいずれかと隣接する領域に表示されるように各部を制御する。
【００３４】
ただし、各種ボタンの表示位置は、データ放送のコンテンツ毎に異なる。従って、目線の移動量がもっとも小さくなるようにするためには、バーチャルリモコン２３の表示位置を、データ放送画像の表示領域の左辺、右辺、上辺、下辺のいずれか１つに指定する必要がある。
【００３５】
そこで、コンピュータは、マウス１２を用いてバーチャルリモコン２３の表示位置を指定できるように構成される。マウス１２を移動させると、演算処理部１４は、マウス１２から出力されたカウント値に基づいてマウスカーソル２２の位置を取得し、取得したマウスカーソル２２の位置に基づいて、指定されたバーチャルリモコン２３の表示位置を判別する。
【００３６】
まず、演算処理部１４は、図３に示すように、データ放送画像の画像表示領域２４の左上隅の座標を（Ｘ１，Ｙ１）、表示領域２４の右下隅の座標を（Ｘ２，Ｙ２）として画像表示領域２４の座標を設定する。尚、画像表示領域２４の左辺、右辺、上辺、下辺を、それぞれ、２４Ｌ，２４Ｒ，２４Ｕ，２４Ｄとする。また、演算処理部１４は、画像表示領域２４を、図３に示すように、２４Ｌ，２４Ｒ，２４Ｕ，２４Ｄと対応するように、それぞれ、領域１〜４に区分する。
【００３７】
次に、演算処理部１４は、コンピュータのオペレータがマウス１２を移動させたとき、マウスカーソル２２の位置が領域１〜４のうちのどの領域に属するかを判別する。
この判別方法について説明する。
まず、図３において、境界線Ｌ１上の座標（Ｘ、Ｙ）は、次の関係式によって表される。
【数１】
2004094392.tif 000003
また、境界線Ｌ２上の座標（Ｘ、Ｙ）は、次の関係式によって表される。
【数２】
2004094392.tif 000004
【００３８】
マウス１２で指定したマウスカーソル２２の座標を（Ｘ０，Ｙ０）とすると、座標（Ｘ０，Ｙ０）が次の関係式を満たせば、マウスカーソル２２の位置は領域１に属していることになる。
【数３】
2004094392.tif 000005
【００３９】
また、座標（Ｘ０，Ｙ０）が次の関係式を満たせば、マウスカーソル２２の位置は領域２に属していることになる。
【数４】
2004094392.tif 000006
【００４０】
また、座標（Ｘ０，Ｙ０）が次の関係式を満たせば、マウスカーソル２２の位置は領域３に属していることになる。
【数５】
2004094392.tif 000007
【００４１】
また、座標（Ｘ０，Ｙ０）が次の関係式を満たせば、マウスカーソル２２の位置は領域４に属していることになる。
【数６】
2004094392.tif 000008
演算処理部１４は、この数３〜数６に示す判別式を用い、画像表示領域２４の左辺２４Ｌ、右辺２４Ｒ、上辺２４Ｕ、下辺２４Ｄのいずれかと隣接する領域（図３の破線で示す領域）にバーチャルリモコン２３が表示されるように処理する。
【００４２】
この演算処理部１４の表示処理を図４のフローチャートに基づいて説明する。
演算処理部１４は、マウス１２から取得したカウント値に基づいて、マウスカーソル２２の位置を取得する（ステップＳ１１）。
演算処理部１４は、数３に従って、マウスカーソル２２の位置が領域１に即しているか否かを判別する（ステップＳ１２）。
【００４３】
マウスカーソル２２の位置が領域１に属していると判別した場合（ステップＳ１２においてＹｅｓ）、演算処理部１４は、記憶部１５からバーチャルリモコン２３の縦型の画像データ２３ａを読み出す（ステップＳ１３）。
【００４４】
演算処理部１４は、読み出した画像データ２３ａの点Ｖ１が画像表示領域２４の座標（Ｘ１，Ｙ１）と一致するように位置を指定して、この画像データ２３ａをフレームメモリ１７ａに書き込む（ステップＳ１４）。
【００４５】
マウスカーソル２２の位置が領域１に属していないと判別した場合（ステップＳ１２においてＮｏ）、演算処理部１４は、数４に従って、マウスカーソル２２の位置が領域２に属しているか否かを判別する（ステップＳ１５）。
【００４６】
マウスカーソル２２の位置が領域２に属していると判別した場合（ステップＳ１５においてＹｅｓ）、演算処理部１４は、記憶部１５から、バーチャルリモコン２３の横型の画像データ２３ｂを読み出す（ステップＳ１６）。
【００４７】
演算処理部１４は、読み出した画像データ２３ｂの左下隅の点Ｖ４が画像表示領域２４の座標（Ｘ１，Ｙ１）と一致するように位置を指定し、この画像データ２３ｂをフレームメモリ１７ａに書き込む（ステップＳ１７）。
【００４８】
マウスカーソル２２の位置が領域２には属していないと判別した場合（ステップＳ１５においてＮｏ）、演算処理部１４は、数５に従って、マウスカーソル２２の位置が領域３に属しているるか否かを判別する（ステップＳ１８）。
【００４９】
マウスカーソル２２の位置が領域３に属していると判別した場合（ステップＳ１８においてＹｅｓ）、演算処理部１４は、記憶部１５から、縦型の画像データ２３ａを読み出す（ステップＳ１９）。
【００５０】
演算処理部１４は、読み出した画像データ２３ａの左上隅の点Ｖ２が画像表示領域２４の座標（Ｘ２，Ｙ１）と一致するように位置を指定し、この画像データ２３ａをフレームメモリ１７ａに書き込む（ステップＳ２０）。
【００５１】
マウスカーソル２２の位置が領域３に属していないと判別した場合（ステップＳ１８においてＮｏ）、演算処理部１４は、数６に従って、マウスカーソル２２の位置は領域４に属していることになるので、記憶部１５から、横型の画像データ２３ｂを読み出す（ステップＳ２１）。
【００５２】
演算処理部１４は、読み出した画像データ２３ｂの左上隅の点Ｖ３が画像表示領域２４の座標（Ｘ１，Ｙ２）と一致するように位置を指定し、この画像データ２３ｂをフレームメモリ１７ａに書き込む（ステップＳ２２）。
演算処理部１４は、このような処理を実行して、この処理の実行を終了させる。
【００５３】
このように、演算処理部１４が画像データ２３ａ又は２３ｂをフレームメモリ１７ａに書き込むと、画像データ出力部１７は、書き込まれた画像データ２３ａ又は２３ｂをディスプレイ１１に出力する。ディスプレイ１１は、画像データ２３ａ又は２３ｂに基づいてバーチャルリモコン２３を表示画面２１に表示する。
【００５４】
この表示例を図５と図６とに示す。尚、図６は、図５の拡大図である。コンピュータのオペレータがマウス１２を領域１に移動させた場合、縦型のバーチャルリモコン２３は、図５に示すように、画像表示領域２４の左辺２４Ｌに隣接するように表示される。この際、演算処理部１４は、バーチャルリモコン２３が表示画面２１からはみ出ないように、画像表示領域２４の位置も調整する。
【００５５】
図６に示すように、マウスカーソル２２の位置が天気予報のボタンの位置と一致し、クリックボタン１２ａ，１２ｂがクリックされると、演算処理部１４は、この操作情報に基づいて天気予報が指定されたことを判別する。
【００５６】
そして、郵便番号としてバーチャルリモコン２３の０〜９の数値が選択されると、演算処理部１４は、選択された数値に基づいて、その郵便番号に対応する地域を判別し、その地域の天気予報が表示されるように、デジタル放送受信部１６、記憶部１５、画像データ出力部１７を制御する。
【００５７】
以上説明したように、本実施の形態によれば、マウスカーソル２２の位置が属する領域を判別してバーチャルリモコン２３がデータ放送画像の画像表示領域２４の４つの辺２４Ｌ，２４Ｒ，２４Ｕ，２４Ｄのいずれかと隣接して表示されるようにした。従って、データ放送画像内のボタン等とバーチャルリモコン２３との間の目線の移動量は低減し、また、データ放送画像内のボタンとバーチャルリモコン２３とを操作する際のマウス１２の移動量も低減されるので、操作性を向上させることができる。
【００５８】
尚、本発明を実施するにあたっては、種々の形態が考えられ、上記実施の形態に限られるものではない。
例えば、バーチャルリモコン２３の表示位置を判別する方法は、マウスカーソル２２の位置が領域１〜４に属しているか否かに基づいて判別する方法に限られるものではない。即ち、データ放送画像の画像表示領域２４の４つの辺２４Ｌ，２４Ｒ，２４Ｕ，２４Ｄのいずれかをマウス１２で直接選択することにより、バーチャルリモコン２３の表示位置を判別することもできる。また、マウスカーソル２２の移動方向に基づいてバーチャルリモコン２３の表示位置を判別することもできる。
【００５９】
また、バーチャルリモコンの画像データは、図２に示すものに限られるものではなく、例えば、バーチャルリモコンのボタンを２列に配置してもよい。
【００６０】
また、データ放送画像の画像表示領域２４の４つの辺２４Ｌ，２４Ｒ，２４Ｕ，２４Ｄだけでなく、データ放送画像の画像表示領域２４の４隅のいずれかと隣接するようにバーチャルリモコン２３を表示させることもできる。この場合、バーチャルリモコンの形状がデータ放送画像の画像表示領域２４の４隅と隣接するような形状になるようにする。また、データ放送画像の画像表示領域２４の形状も四角形に限られるものではなく、この形状を多角形にすることもできる。この場合、バーチャルリモコンをこの形状と対応するような形状にする。
【００６１】
マウスカーソル２２を移動させる手段としては、マウス１２に限られるものではなく、例えば、光通信による通常のリモコン、ジョイスティック、タッチパネル、タブレット等を用いることもできる。
【００６２】
上記実施の形態では、プログラムが、それぞれメモリに予め記憶されているものとして説明した。しかし、コンピュータを、装置の全部又は一部として動作させ、あるいは、上述の処理を実行させるためのプログラムを、フレキシブルディスク、ＣＤ−ＲＯＭ（Ｃｏｍｐａｃｔ　Ｄｉｓｋ　Ｒｅａｄ−Ｏｎｌｙ　Ｍｅｍｏｒｙ）、ＤＶＤ（Ｄｉｇｉｔａｌ　Ｖｅｒｓａｔｉｌｅ　Ｄｉｓｋ）、ＭＯ（Ｍａｇｎｅｔｏ　Ｏｐｔｉｃａｌ　ｄｉｓｋ）などのコンピュータ読み取り可能な記録媒体に格納して配布し、これを別のコンピュータにインストールし、上述の手段として動作させ、あるいは、上述の工程を実行させてもよい。
さらに、インターネット上のサーバ装置が有するディスク装置等にプログラムを格納しておき、例えば、搬送波に重畳させて、コンピュータにダウンロード等するものとしてもよい。
【００６３】
【発明の効果】
以上説明したように、本発明によれば、操作性が向上する。
【図面の簡単な説明】
【図１】本発明の実施の形態に係る表示装置の構成を示すブロック図である。
【図２】バーチャルリモコンの画像データの一例を示す説明図である。
【図３】マウスの位置の判別方法を説明するための説明図である。
【図４】図１の演算処理部が実行するバーチャルリモコンの表示処理を示すフローチャートである。
【図５】ディスプレイの表示画面に表示されたバーチャルリモコンの表示例を示す説明図である。
【図６】図５の拡大図である。
【図７】従来の表示例を示す説明図である。
【符号の説明】
１１　ディスプレイ
１２　マウス
１３　コンピュータ本体
１４　演算処理部
１５　記憶部
１６　デジタル放送受信部
１７　画像データ出力部
２３　バーチャルリモコン
【図１】
2004094392.tif 000009
【図２】
2004094392.tif 000010
【図３】
2004094392.tif 000011
【図４】
2004094392.tif 000012
【図５】
2004094392.tif 000013
【図６】
2004094392.tif 000014
【図７】
2004094392.tif 000015